【手続補正書】
【提出日】平成28年12月9日(2016.12.9)
【手続補正１】
【補正対象書類名】特許請求の範囲
【補正対象項目名】全文
【補正方法】変更
【補正の内容】
【特許請求の範囲】
【請求項１】
走行体と、前記走行体の上側に設けられたフレームと、前記フレームに連結された作業装置と、前記フレーム上に傾転可能に設けられた運転室ユニットと、前記運転室ユニットの傾転角度を可変としつつ前記運転室ユニットの傾転状態を保持する傾転機構とを備えた建設機械において、
パイプ状又は棒状のストッパと、
前記フレームに設けられ、前記ストッパの下端部を着脱可能に支持するフレーム側ブラケットと、
前記運転室ユニットのフロア部材に設けられ、前記ストッパの上端部を着脱可能に受けるフロア側ブラケットとを備え、
前記フレーム側ブラケットは、
下板と、前記下板に直立するとともに互いに平行配置された前板及び後板と、前記下板に直立するとともに前記前板及び前記後板の間で接続された中板と、前記中板に対して回転可能に設けられたＬ字状の規制部材と、前記前板に形成された切欠きとを有し、
前記フレーム側ブラケットは、
前記前板の上端を支持支点として前記ストッパを傾斜した状態で、前記下板、前記前板、前記後板、及び前記中板からなる箱型構造にて前記ストッパの下端部を支持し、かつ前記規制部材を回転して前記規制部材の先端部を前記切欠きに係合することにより前記ストッパの横移動を規制するように構成されており、
前記フロア側ブラケットは、
前記フロア部材に取付けられるブラケット本体と、前記フロア部材の下面より下側に離間されて前記ブラケット本体から延在するように設けられた横板と、前記横板に形成されて前記ストッパの上端部を挿通する位置決め穴と、前記横板から前記フロア部材の下面に向かって延在する縦板と、前記横板及び前記縦板に接合され、前記フロア部材の下面より下側に離間された曲げ板とを有し、
前記フロア側ブラケットは、
前記傾転機構が前記運転室ユニットの傾転状態を保持できなくなった場合に、前記位置決め穴を挿通した前記ストッパの上端部が前記曲げ板に当接するともに、前記縦板の先端が前記フロア部材の下面に当接するように構成されたことを特徴とする建設機械。
【請求項２】
請求項１記載の建設機械において、
前記運転室ユニットは、キャブタイプであり、
前記ブラケット本体は、キャブの底枠部のうち前記フロア部材からはみ出した部分を支持するように構成されたことを特徴とする建設機械。
【請求項３】
請求項１記載の建設機械において、
前記運転室ユニットは、キャノピタイプであり、
前記ブラケット本体は、前記フロア部材の側方に取付けられたスカートカバーを支持するように構成されたことを特徴とする建設機械。
【手続補正２】
【補正対象書類名】明細書
【補正対象項目名】００１１
【補正方法】変更
【補正の内容】
【００１１】
上記目的を達成するために、本発明は、走行体と、前記走行体の上側に設けられたフレームと、前記フレームに連結された作業装置と、前記フレーム上に傾転可能に設けられた運転室ユニットと、前記運転室ユニットの傾転角度を可変としつつ前記運転室ユニットの傾転状態を保持する傾転機構とを備えた建設機械において、パイプ状又は棒状のストッパと、前記フレームに設けられ、前記ストッパの下端部を着脱可能に支持するフレーム側ブラケットと、前記運転室ユニットのフロア部材に設けられ、前記ストッパの上端部を着脱可能に受けるフロア側ブラケットとを備え、前記フレーム側ブラケットは、下板と、前記下板に直立するとともに互いに平行配置された前板及び後板と、前記下板に直立するとともに前記前板及び前記後板の間で接続された中板と、前記中板に対して回転可能に設けられたＬ字状の規制部材と、前記前板に形成された切欠きとを有し、前記フレーム側ブラケットは、前記前板の上端を支持支点として前記ストッパを傾斜した状態で、前記下板、前記前板、前記後板、及び前記中板からなる箱型構造にて前記ストッパの下端部を支持し、かつ前記規制部材を回転して前記規制部材の先端部を前記切欠きに係合することにより前記ストッパの横移動を規制するように構成されており、前記フロア側ブラケットは、前記フロア部材に取付けられるブラケット本体と、前記フロア部材の下面より下側に離間されて前記ブラケット本体から延在するように設けられた横板と、前記横板に形成されて前記ストッパの上端部を挿通する位置決め穴と、前記横板から前記フロア部材の下面に向かって延在する縦板と、前記横板及び前記縦板に接合され、前記フロア部材の下面より下側に離間された曲げ板とを有し、前記フロア側ブラケットは、前記傾転機構が前記運転室ユニットの傾転状態を保持できなくなった場合に、前記位置決め穴を挿通した前記ストッパの上端部が前記曲げ板に当接するともに、前記縦板の先端が前記フロア部材の下面に当接するように構成される。
【手続補正３】
【補正対象書類名】明細書
【補正対象項目名】００３０
【補正方法】変更
【補正の内容】
【００３０】
フロア部材３２は、床板４３、操作装置取付板４４、ブラケット取付板４５、前側建屋取付板４６、運転席台座４７、後側建屋取付板４８、及び傾転ブラケット４９を有している。フロア部材３２の操作装置取付板４４には、上述した走行用操作装置、オフセット用操作装置、及びオプション用操作装置が取付けられ、運転席台座４７には、運転席３３が取付けられる。
【手続補正４】
【補正対象書類名】明細書
【補正対象項目名】００３２
【補正方法】変更
【補正の内容】
【００３２】
フロア部材３２の前側建屋取付板４６は、ヒンジ機構５１（図５では示さないものの、後述の図２２参照）を介して旋回フレーム１４の前側支持部材３０に上下方向に回動可能に連結されている。これにより、フロア部材３２（ひいては、運転室ユニット１５）は、前側を支点として傾転可能（チルトアップ・チルトダウン可能）としている。なお、チルトダウンした状態のフロア部材３２の前側部分（詳細には、床板４３等）は、旋回フレーム１４の前側支持部材３０、左側支持板３１、および後側支持板２５で支持され、後側部分（詳細には、後側建屋取付板４８）は、旋回フレーム１４の後側支持部材で支持されるようになっている。
【手続補正５】
【補正対象書類名】明細書
【補正対象項目名】００３９
【補正方法】変更
【補正の内容】
【００３９】
フレーム側ブラケット５６は、下板５９と、下板５９に直立するとともに互いに平行配置された前板６０及び後板６１と、下板５９に直立するとともに前板６０及び後板６１の間で接続された中板６２と、前板６０、後板６１、及び中板６２の上端に接合され、中板６２から外側（図１２中上側）に向かって延在する上板６３と、上板６３から下側（図１３中下側）に延在するとともに中板６２に対して平行配置された側板６４とを有している。
【手続補正６】
【補正対象書類名】明細書
【補正対象項目名】００４０
【補正方法】変更
【補正の内容】
【００４０】
フレーム側ブラケット５６の上板（固定板）６３には、２つの貫通孔６５が形成され、それらの下側には２つのナット６６が溶接されている。そして、上述の図９で示すように、旋回フレーム１４の左側支持板３１に形成された貫通孔（図示せず）とフレーム側ブラケット５６の上板６３の貫通孔６５にボルト６７を挿通しつつ、ナット６６にボルト６７を螺合することにより、フレーム側ブラケット５６の上板６３が旋回フレーム１４の左側支持板３１に固定される。なお、フレーム側ブラケット５６の下板５９の周縁には断面円形状の棒材６８が溶接されており、フレーム側ブラケット５６の周囲にある部品の破損を防止するようになっている（上述の図９参照）。
【手続補正７】
【補正対象書類名】明細書
【補正対象項目名】００５１
【補正方法】変更
【補正の内容】
【００５１】
なお、万一、傾転機構５２が運転室ユニット１５のチルトアップ状態を保持できなくなって、運転室ユニット１５が落下しようとした場合には、ストッパ５５の上端部とフロア側ブラケット４２の窪み部８５（言い換えれば、曲げ板８３）が当接し、これに伴い横板８１が撓んで縦板８２の先端側のゴム部材８７とフロア部材３２の下面が当接する（図１９参照）。そのため、縦板８２の先端側のゴム部材８７は、ハーネス９０等を避けるように配置しておけばよい。
【手続補正８】
【補正対象書類名】明細書
【補正対象項目名】００６３
【補正方法】変更
【補正の内容】
【００６３】
本実施形態のストッパ機構は、パイプ状のストッパ５５と、旋回フレーム１４の左側支持板３１に取付けられたフレーム側ブラケット５６と、運転室ユニット１５Ａのフロア部材３２のブラケット取付板４５に取付けられた上記のフロア側ブラケット１０３とで構成されている。すなわち、上記第１の実施形態のフロア側ブラケット４２に代えて、フロア側ブラケット１０３を備えている。フロア側ブラケット１０３は、上述したスカートカバー１０２を支持する機能に加えて、ストッパ５５の上端部を着脱可能に受ける機能を有している。フロア側ブラケット１０３の詳細構造を、図２４〜図２６を用いて説明する。
【手続補正９】
【補正対象書類名】明細書
【補正対象項目名】００６６
【補正方法】変更
【補正の内容】
【００６６】
フロア側ブラケット１０３の固定板１０５には、２つの貫通孔１０８が形成されている。そして、図示しないものの、フロア部材３２のブラケット取付板４５に形成された貫通孔とフロア側ブラケット１０２の固定板１０５の貫通孔１０８にボルトを挿通し、ボルトの先端側にナットを螺合することにより、フロア側ブラケット１０３の固定板１０５がフロア部材３２のブラケット取付板４５に固定される。